(57)【要約】      （修正有）【課題】複数のブロック材を前後方向、上下方向、左右方向の直交する任意方向に接続構成が可能で、各種の仮想立体物構成を作成することができるブロック材の接続構造体を提供する。【解決手段】ブロック材の前後を平行に構成し、側面の四方に同一長さに突出する十字型の羽根部を形成すると共に、各羽根部の先端に前後方向を開口したスリット溝を形成し、該スリット溝に脱着固定可能に圧入される長尺状の薄板プレート部材を設け、該薄板プレート部材をスリット溝に圧入固定させることにより各ブロック材を接続するように構成して、十字型のブロック材１，２と薄板プレート部材３との圧入接続構成で各種形態の模型を現出させることができる。【選択図】図１
0003164459.tif 000002
【実用新案登録請求の範囲】
【請求項１】
ブロック材の前後を平行に構成し、側面の四方に同一長さに突出する十字型の羽根部を形成すると共に、各羽根部の先端に前後方向を開口したスリット溝を形成し、該スリット溝に脱着固定可能に圧入される長尺状の薄板プレート部材を設け、該薄板プレート部材をスリット溝に圧入固定させることにより各ブロック材を接続するように構成したことを特徴とするブロック接続構造体。
【請求項２】
ブロック材は中実の無垢材にしたものと、中央に上下に貫通する孔を設けたものからなることを特徴とする請求項１に記載されたブロック接続構造体。
【考案の詳細な説明】
【技術分野】
【０００１】  本発明は、ブロック材の三次元的な連結を可能とし、立体模型品を現出させることのできるバリエーションに富んだ使用を可能とした知育玩具や教育用部材、介護用福祉部材、リハビリ用部材として用いることが可能なブロック材の接続構造体に関するものである。
【背景技術】
【０００２】  上記ブロック材の接続構造体としては、例えば、特許文献１に示されるように単にブロック玩具のブロック同士を接続したり分解したりして楽しむようなものが一般的であった。
【先行技術文献】
【特許文献】
【０００３】
【特許文献１】特開２００５−１８５４９５号公報
【考案の概要】
【考案が解決しようとする課題】
【０００４】  特許文献１のように、ブロック玩具のブロック同士を接続したり分解したりするタイプのものでは、接続の組み合わせ構成が限られているので接続構成からできあがる立体物形状が限定される恐れがあった。
本考案が前述の状況に鑑み、解決しようとするところは、ブロック材を十字型の形状にして、十字型の各羽根部に外側に開口したスリット溝を設けたものに構成して、且つこれらスリット溝を利用して、スリット溝に圧入される薄板プレート部材を設け、該薄板プレート部材により各ブロックを接続するようにしたブロック接続構造体を提供する点にある。
【課題を解決するための手段】
【０００５】  本考案は、前述の課題解決のために、第一に、ブロック材の前後を平行に構成し、側面の四方に同一長さに突出する十字型の羽根部を形成すると共に、各羽根部の先端に前後方向を開口したスリット溝を形成し、該スリット溝に脱着固定可能に圧入される長尺状の薄板プレート部材を設け、該薄板プレート部材をスリット溝に圧入固定させることにより各ブロック材を接続するように構成したことを特徴とするブロック接続構造体にしたものである。
従って、複数の薄板プレート部材を用いて、複数のブロック材を前後方向、上下方向、左右方向の直交する任意方向に接続構成が可能となり、また圧入による挟み込み構成のみであるので固定されていなく、接続の角度変更も任意にできて仮想立体物の造形構成を楽しむことができるものである。
第二に、ブロック材は中実の無垢材にしたものと、中央に上下に貫通する孔を設けたものからなることを特徴とする請求項１に記載されたブロック接続構造体にしたものである。
これにより、更に組合せモデルのバリエーションが広がるものである。
【考案の効果】
【０００６】  請求項１の考案によれば、複数の薄板プレート部材を用いて、複数のブロック材を前後方向、上下方向、左右方向の直交する任意方向に接続構成が可能となるので、各種の仮想立体物構成を作成することが可能で、仮想立体物の造形構成を楽しむことができるものであり、知育玩具や教育用部材、介護用福祉部材、リハビリ部材として用いることができる効果を奏するものを提供することができる。
請求項２の考案によれば、更に組合せモデルのバリエーションが広がり楽しみを増すことができる効果を奏するものを提供することができる。
【図面の簡単な説明】
【０００７】
【図１】本考案のブロック接続構造体の正面俯瞰の斜視図である。
【図２】同上ブロック接続構造体の右側面俯瞰の斜視図である。
【図３】同上ブロック接続構造体の左側面俯瞰の斜視図である。
【図４】同上ブロック接続構造体を正面視した斜視図である。
【図５】同上ブロック接続構造体を右側面より見た斜視図である。
【図６】同上ブロック接続構造体の分解途中を示す平面斜視図である。
【図７】同上ブロック接続構造体の分解完了を示す平面斜視図である。
【図８】孔付きブロック材の斜視図である。
【図９】同上孔付きブロック材の側面図である。
【図１０】同上孔付きブロック材の平面図である。
【図１１】中実の無垢材からなるブロック材の斜視図である。
【図１２】第二例のブロック接続構造体の右側面俯瞰の斜視図である。
【図１３】同上第二例ブロック接続構造体の右側面図である。
【図１４】同上第二例ブロック接続構造体の正面図である。
【図１５】同上第二例ブロック接続構造体の分解途中を示す平面斜視図である。
【図１６】同上第二例ブロック接続構造体の分解完了を示す平面斜視図である。
【図１７】第三例のブロック接続構造体の右側前面俯瞰の斜視図である。
【図１８】第三例のブロック接続構造体の左側後面俯瞰の斜視図である。
【図１９】第四例のブロック接続構造体の右側前面俯瞰の斜視図である。
【図２０】第四例のブロック接続構造体の左側後面俯瞰の斜視図である。
【図２１】第四例のブロック接続構造体の背面視俯瞰の斜視図である。
【図２２】第五例のブロック接続構造体の右側面の斜視図である。
【図２３】第五例のブロック接続構造体の正面図である。
【図２４】第五例のブロック接続構造体の上面俯瞰の斜視図である。
【考案を実施するための形態】
【０００８】  以下、実施例に関する図面に基づいて本考案を詳細に説明する。
図１〜図７に、飛行機モデル形態に接続した本考案のブロック接続構造体を示している。このものの詳細を説明すると符号１は十字型のブロック材であり、該ブロック材１の前後１Ａ、１Ｂを平行に構成し、側面の四方に同一長さに突出する十字型の羽根部１Ｃを形成すると共に、各羽根部１Ｃの先端に前後方向を開口した溝幅が約１．３ミリのスリット溝１Ｄを形成しているもので、該ブロック材１の前後１Ａ、１Ｂの中央に上下に貫通する透視孔１Ｅを設けてある。符号２は、上記十字型のブロック材１と同一形状にした十字型のブロック材であり、該ブロック材２の前後２Ａ、２Ｂを平行に構成し、側面の四方に同一長さに突出する十字型の羽根部２Ｃを形成すると共に、各羽根部２Ｃの先端に前後方向を開口したスリット溝２Ｄを形成しているもので、該ブロック材２の前後２Ａ、２Ｂの中央を中実の無垢材２Ｅにしたものである。
【０００９】  符号３に示すものは長尺状の薄板プレート部材であり、該薄板プレート部材３は、上記十字型のブロック材１、２の羽根部１Ｃ、２Ｃに設けられたスリット溝１Ｄ、２Ｄに脱着固定可能に圧入される厚み、すなわちスリット溝１Ｄ、２Ｄの溝幅約１．３ミリより若干幅広の厚みで約１．４ミリに形成されており、該薄板プレート部材３の長さは、十字型のブロック材１、２の複数個が並べられて接続されるように長尺状のものに構成されており、その長さにより長めのタイプ３Ａ、短めのタイプ３Ｂなどが適宜に構成されている。このときに、上記十字型のブロック材１、２の前後１Ａ、１Ｂ、２Ａ、２Ｂが平行に構成されているので、十字型のブロック材１、２の複数個が薄板プレート部材３の圧入固定で並べられて接続されるときに、これらを密接状にして直線上に連結構成できる利点がある。
【００１０】  これら十字型のブロック材１、２および薄板プレート部材３の構成により図１〜図４に示すように飛行機モデルタイプの模型を接続構成することができる。十字型のブロック材１、２はそれぞれに胴体部の左右部分で左右二枚の薄板プレート部材３がスリット溝１Ｄ、２Ｄに圧入されて固く接続され、胴体部の上方にスリット溝１Ｄ、２Ｄに圧入接続した背びれ状の形態となる薄板プレート部材３の前後に、それぞれ十字型のブロック材１、２を圧入固定して、前部の十字型のブロック材２の両側に薄板プレート部材３の長めのタイプ３Ａを圧入接続して主翼構成とし、後部の十字型のブロック材１の両側に薄板プレート部材３の短めのタイプ３Ｂを圧入接続して尾翼構成とし、さらに後部の十字型のブロック材１の上部に薄板プレート部材３の短めのタイプ３Ｂを圧入接続して垂直尾翼構成として、これらにより全体として飛行機モデルタイプの模型を現出させているものである。
【００１１】  なお、図４、図５の前部の十字型のブロック材２の下部に圧入接続されたプレート部材３は、この模型を前高後低状に支持するための展示用のスタンド部材３Ｃである。
図６と図７はこれらの構成部品を分解したものであり、このものを組み立てると図１〜図４に示すような飛行機モデルタイプの模型を現出させることができて、これらを構成する十字型のブロック材１、２および薄板プレート部材３は、お互いに脱着固定可能に圧入接続されるものである。
また、十字型のブロック材１と十字型のブロック材２の使い分けは、外観デザイン状の観点から孔付きのものが良いと思ったところに孔付きの十字型のブロック材１を用い、その他は製造コストが安価な孔なしの十字型のブロック材２を用いるものであるが、これに特段に限定されるものではない。
【実施例】
【００１２】  図１２〜図１６に第二例のブロック接続構造体の実施態様を示す。
これらは前記第一例の飛行機モデルと同様な考え方で、十字型のブロック材１、２および薄板プレート部材３の構成を組み合わせて、下部の胴体部に対して上部が後部を中心にして上下回動する形態のミサイル積載車輌あるいは自走式バズーカ砲モデルタイプの模型に構成することができる。
図１２〜図１４がミサイル積載車輌あるいは自走式バズーカ砲モデルタイプの模型の基本形で、図１５と図１６はこれらの構成部品を分解したものであり、このものを組み立てると図１２〜図１４に示すようなミサイル積載車輌あるいは自走式バズーカ砲モデルタイプの模型を現出させることができて、これらを構成する十字型のブロック材１、２および薄板プレート部材３は、お互いに脱着固定可能に圧入接続されるものである。【００１３】  なお、図１２〜図１４の胴体部の前部に設けた十字型のブロック材２は前後長さを短くしたタイプのもの２Ｓを用いている。このように十字型のブロック材は、標準型のものより長さの短いものに構成しても良く、また逆に標準型のものより長さの長いものを構成しても良い。【００１４】  このようにして、本考案のものは、複数の十字型のブロック材１、２および複数の薄板プレート部材３の組合せにより、組合せモデルのバリエーションを多くすることが可能で、想像豊かにいろいろなモデルの模型を現出することができる。また組立分解が自由であり、圧入による抵抗感もあって、知育玩具や教育用部材、介護用福祉部材、リハビリ用部材として用いることが可能となるものである。
本考案の実施態様では、十字型のブロック材１、２および薄板プレート部材３は、杉材や檜材、翌檜材、栗材、松材などの木質部材を用いて構成するものであり、木の温もりと暖かみを感じながら、木の香りを楽しみながら、模型の組み立てとパーツ部材への分解バラシなどを適宜に知育して楽しむことができる利点がある。【００１５】  図１７〜図１８に第三例のブロック接続構造体の実施態様を示す。
このものは、上記飛行機モデルタイプの模型の変形例でスマートな形態にされていて、胴体部の十字型ブロック材１、２の接続は図示に表れていないが各十字型ブロック材１、２の下面に位置する羽根部材のスリット溝に薄板プレート部材３が圧入されているものである。
そして、十字型ブロック材１、２を構成する材質に、白色系統の桧材、赤色系統の松材、灰色系統の栗材を用いて構成することにより、配色を変えて楽しむことができるものである。【００１６】  図１９〜図２１に第四例のブロック接続構造体の実施態様を示す。
このものは、上記飛行機モデルタイプの模型の更なる変形例で幅広の翼部材を構成する飛行機モデルにされているものである。このものは、十字型ブロック材１、２を構成する材質に、白色系統の桧材、赤色系統の松材を用いて、薄板プレート部材３は赤茶色系統の杉材を用いて配色の構成を楽しむことができるものである。【００１７】  図２２〜図２４に第五例のブロック接続構造体の実施態様を示す。
このものは、建造物の模型例を示すものであり、このように複数の十字型のブロック材１、２および複数の薄板プレート部材３の組合せにより、組合せモデルのバリエーションを多くすることが可能である。
また、薄板プレート部材の厚みは前記したように約１．４ミリ程度のものであり適宜に折り曲げたり、鋏を用いて長さや幅を切断加工することも容易にできるもので、これらの加工を施すことにより組み立てる模型のデザインをより向上させることができる利点がある。
【産業上の利用可能性】
【００１８】  本考案の十字型のブロック材１、２および薄板プレート部材３は木質部材で構成されたものを実施態様として示したが、この十字型のブロック材１、２および薄板プレート部材３は木質部材に限定されるものではなく、竹材や合成樹脂や硬質ゴム、金属部材などで構成しても良いものである。
また、組立の実施態様として、飛行機モデルタイプや自走式バズーカ砲モデルタイプあるいは建造物モデルタイプのものを示したが、これらは一例として示したものであって十字型のブロック材１、２および薄板プレート部材３を圧入接続する構成を採用することにより、各種の模型モデルが現出されるものであり、その模型モデル使用形態は、これらのものに限定されるものではない。
【符号の説明】
【００１９】  １  十字型のブロック材
２  十字型のブロック材
３  薄板プレート部材
【図１】
0003164459.tif 000003
【図２】
0003164459.tif 000004
【図３】
0003164459.tif 000005
【図４】
0003164459.tif 000006
【図５】
0003164459.tif 000007
【図６】
0003164459.tif 000008
【図７】
0003164459.tif 000009
【図８】
0003164459.tif 000010
【図９】
0003164459.tif 000011
【図１０】
0003164459.tif 000012
【図１１】
0003164459.tif 000013
【図１２】
0003164459.tif 000014
【図１３】
0003164459.tif 000015
【図１４】
0003164459.tif 000016
【図１５】
0003164459.tif 000017
【図１６】
0003164459.tif 000018
【図１７】
0003164459.tif 000019
【図１８】
0003164459.tif 000020
【図１９】
0003164459.tif 000021
【図２０】
0003164459.tif 000022
【図２１】
0003164459.tif 000023
【図２２】
0003164459.tif 000024
【図２３】
0003164459.tif 000025
【図２４】
0003164459.tif 000026